(57)【特許請求の範囲】
【請求項１】
底壁２周縁から周壁３を起立する外容器体１と、
上記外容器体内面へ嵌合させた可撓性を有する、シート状物31入り薄肉容器体30と、
上記外容器体周壁３の上端部へ嵌合させたキャップ部材40とからなり、
キャップ部材40は、外容器体周壁３の上端部外面へ上記薄肉容器体30の上端部を介して嵌合され、かつ上端面を内向きフランジ状頂板42で閉塞した嵌合筒41と、該嵌合筒の上部外面へ嵌合させたキャップ43とで形成し、
上記外容器体１の底壁２の中央部に直線薄肉凹溝と破断線とで囲成した一対の底上げ板部12、13を形成し、両直線薄肉凹溝屈折により起立された両底上げ板部の上端で薄肉容器体30の底壁を押上げ可能に形成した
ことを特徴とするシート状物収納容器。
【発明の詳細な説明】
【０００１】
【発明の属する技術分野】
本発明は、ウエットティッシュペーパーやペーパータオル等のシート状物を収納する容器に関する。
【０００２】
【従来の技術】
ウエットティッシュペーパー等のシート状物を収納した箱の頂壁に取出口を設けて、該取出口からシート状物を連続的に、または一枚ずつ取り出せるようにした収納容器が知られている。
【０００３】
【発明が解決しようとする課題】
上記のような収納容器では、シート状物が少なくなると、シート状物が途切れて連続的に取り出せなくなる等のことがあり、そこでこれに対処すべく箱の底壁に破断線と折曲げ線とを形成して、これらで囲まれる底壁部分を底上げ用板部に形成し、シート状物が少なくなった場合には破断線を破断して底上げ用板部を上方へ折曲することによりシート状物を持ち上げることが考えられるが、こうした場合には底壁の底上げ用板部部分に開口部が形成され、該開口部を介してシート状物が外気と連通するため、シート状物がウエットティッシュペーパー等の場合には乾燥してしまうことになる。
【０００４】
本発明は、容器体底壁の一部を底上げ用板部に形成すると共に、容器体内へ薄肉容器体を嵌合させることにより、シート状物が少なくなった場合でも取出しを容易にし、かつシート状物の乾燥を防止するものである。
【０００５】
【課題を解決するための手段】
第１の手段として、底壁２周縁から周壁３を起立する外容器体１と、
上記外容器体内面へ嵌合させた可撓性を有する、シート状物31入り薄肉容器体30と、
上記外容器体周壁３の上端部へ嵌合させたキャップ部材40とからなり、
キャップ部材40は、外容器体周壁３の上端部外面へ上記薄肉容器体30の上端部を介して嵌合され、かつ上端面を内向きフランジ状頂板42で閉塞した嵌合筒41と、該嵌合筒の上部外面へ嵌合させたキャップ43とで形成し、
上記外容器体１の底壁２の中央部に直線薄肉凹溝と破断線とで囲成した一対の底上げ板部12、13を形成し、両直線薄肉凹溝屈折により起立された両底上げ板部の上端で薄肉容器体30の底壁を押上げ可能に形成した。
【０００８】
【発明の実施の形態】
以下、本発明に係るシート状物収納容器の実施形態を図面を参照しながら説明する。
１は外容器体で、底壁２周縁から周壁３を起立し、該周壁上端から外向きフランジを介して短筒４を垂下する。
外容器体の底壁２中央部には、請求項２記載のように、第１ないし第３の３本の破断線５、６、７を並設する。その際、両端の２本の破断線５、７は互いに平行状に形成すると共に、これら破断線間の第２の破断線６は、両破断線と交差する方向へ傾斜させる。
【０００９】
そして、相隣れる第１および第２の２本の破断線５、６の一端相互を結ぶ線分上に第４の破断線８を形成すると共に、他の相隣れる第２および第３の２本の破断線６、７の他端相互を結ぶ線分上に第５の破断線９を形成する。また、第４の破断線８の延長線上に薄肉ヒンジ形成用の第１の直線薄肉凹溝１０を形成して、該凹溝先端を第３破断線７の一端に連結すると共に、第５の破断線９の延長線上に薄肉ヒンジ形成用の第２の直線薄肉凹溝１１を形成して、該凹溝先端を第１破断線５の他端に連結する。
かくて、第１および第２の破断線５、６と第２の直線薄肉凹溝１１とは第１の底上げ用板部１２を、また、第２および第３の破断線６、７と第１の薄肉直線凹溝１０とは第２の底上げ用板部１３を、それぞれ形成する。
【００１０】
底上げ用板部としては上記に限らず、図３に示すように、外容器体１の底壁２中央部に薄肉ヒンジ形成用の２本の直線薄肉凹溝１５を互いに近接させて平行状に形成すると共に、両凹溝を直径とする半円弧状の破断線１６、１７を、両凹溝間の底壁部分の外方に形成して底上げ用板部を形成することも可能である。
【００１１】
あるいは、図４に示すように、外容器体１の底壁２中央部に互いに隣接する２つの長方形を想定し、これらの長方形のうち１つの短辺を薄肉ヒンジ形成用の直線薄肉凹溝１９に、かつ、該短辺を除く３辺を破断線２０に形成する。その際、両長方形の凹溝１９は互いに隣接しないようにする。このようにして底上げ用板部を形成することも可能である。
【００１２】
３０は外容器体１内面へ嵌合させた可撓性を有する薄肉容器体で、該薄肉容器体内ヘはウエットティッシュペーパーやペーパータオル等のシート状物３１を収納している。
薄肉容器体３０はサーモフォーミングにより外容器体１内面へ剥離可能に接着させて形成するが、接着させることなく形成することも可能である。
【００１３】
40は外容器体周壁３の上端部へ嵌合させたキャップ部材で、該キャップ部材は、外容器体の短筒４外面へ薄肉容器体30の上端部を介して抜出し不能に嵌合させた嵌合筒41の上部を上向き段部41ａを介して小外径部41ｂに形成し、該小外径部上面を内向きフランジ状頂板42で閉塞すると共に、小外径部41ｂ外面へ嵌合させたキャップ43を薄肉ヒンジ44を介して上向き段部41ａへ連結している。
【００１４】
次に本実施形態の作用について説明する。
シート状物３１を取り出すには、キャップ４３を持ち上げ嵌合筒４１から離脱させて内向きフランジ状頂板４２のフランジ孔を開口させればよい。
シート状物３１が少なくなって取り出しにくくなった場合には、底上げ用板部１２、１３を容器体内へ折曲させて起立させればよく、すると薄肉容器体３０の底壁と下部とが外容器体１から剥離して薄肉容器体３０の底壁が持ち上げられ、これと共にシート状物３１も上昇する。
【００１５】
このように破断線を破断させて底上げ用板部を１２、１３を折曲させると、外容器体１の底壁に開口部が形成されるが、薄肉容器体３０上部は外容器体内面に接着しているため、該開口部を介して薄肉容器体内部が外気と連通することがない。
なお、薄肉容器体３０が外容器体１内面に接着していない場合でも、薄肉容器体の上端部はキャップ部材の嵌合筒４１と外容器体１の短筒４との間に挟持されているので同様に薄肉容器体内部が外気と連通することがない。
【００１６】
【発明の効果】
本発明は、外容器体の底壁に底上げ用板部を形成しているので、シート状物が少なくなった場合には、底上げ用板部を折曲して薄肉容器体の底壁を持ち上げることができ、このためシート状物が減少しても取り出しにくくなるというようなことがない。
【００１７】
また、薄肉容器体を外容器体内面へ嵌合させ、かつ該薄肉容器体の上端部を介して外容器体周壁３の上端部外面へ、キャップ部材40の嵌合筒４を嵌合させているので、底上げ用板部の折曲により外容器体底壁に開口部が形成されても、薄肉容器体内部が該開口部を介して外気と連通することがなく、このためウエットティッシュ等のシート状物が乾燥することがない。
【図面の簡単な説明】
【図１】本発明に係るシート状物収納容器の断面図を示すもので、右半図は底上げ用板部を折曲した状態を示す作用説明図。
【図２】同じく、シート状物収納容器の分解斜視図。
【図３】同じく、底上げ用板部の第２の実施形態を示す略示図。
【図４】同じく、底上げ用板部の第３の実施形態を示す略示図。
【符号の説明】
１  容器体
２  底壁
３  周壁
５、６、７、８、９  破断線
１０、１１  凹溝
１２、１３  底上げ用板部
３０  薄肉容器体
３１  シート状物
４０  キャップ部材
４１  嵌合筒
４２  内向きフランジ状頂板
４３  キャップ
【図１】
0004151201.tif 000002
【図２】
0004151201.tif 000003
【図３】
0004151201.tif 000004
【図４】
0004151201.tif 000005